(57)【要約】【課題】書類を綴じ込むファイルで容易に手軽に書類の綴じ込みと出し入れの出来る低コストのファイルの止め具であること。【解決の手段】書類Ａを綴じ込むファイルで、これらのファイル表紙Ｂの折り返し部Ｃに係止するひも状で伸縮性でなるウレタンゴム質材などのクッションバンド１の双方の端子１ａがみぞ状孔２ａと丸孔とでなる鍵状孔２で且つみぞ状孔２ａを傾斜状の底部２ａと丸孔とでの鍵状孔２を２個並列して開口する板状の基台３とで構成し、その基台３の双方の鍵状孔２の丸孔にさし込まれた端子１ａに引張りを与えて、そのクッションバンド１の直径よりやや細巾で開口するみぞ状孔２ａに無理ばめ固着することで、基台３に挟着された書類Ａをとじ込みホールド可能にする構成からなる。【選択図】図１
2007125868.tif 000002
【特許請求の範囲】
【請求項１】
書類（Ａ）を綴じ込むファイルにおいて、これらのファイル表紙（Ｂ）の折り返し部（Ｃ）に係止するひも状で伸縮性でなるウレタンゴム質材などのクッションバンド（１）の双方の端子（１ａ）が、みぞ状孔（２ａ）と丸孔とでなる鍵状孔（２）で且つみぞ状孔（２ａ）の底を封印する底部（２ｂ）設けそれと丸孔連結での鍵状孔（２）を２個並列して開口する板状の基台（３）とで構成し、その基台（３）の双方の鍵状孔（２）の丸孔にさし込まれた端子（１ａ）に引張りを与えて、そのクッションバンド（１）の直径よりやや細巾で開口するみぞ状孔（２ａ）にさし込み弾発力を固着することで、基台（３）に挟着された書類（Ａ）を綴じ込みホールド可能にしたここを特徴とするファイルの止め具。
【請求項２】
前記する基台（３）に開口する２個の鍵状孔（２）を単純な丸形孔（６）にし、これらの丸形孔（６）にさし込まれるクッションバンド（１）には、こぶ状で一体化する抜け止め部（７）を設け、更に丸形孔（６）に近接してスリット（４）付のブリッジ状のストッパー（５）を一体化し、これらに係合するクッションバンド（１）の抜け止め部（７）を着脱自在にしたことを特徴とする請求項１記載のファイルの止め具。
【請求項３】
前記する板状の基台（３）に開口する丸形孔（６）に近接するスリット（４）付のブリッジ状のストッパー（５）を複数個一体化し、更にこれらに係合するクッションバンド（１）の抜け止部（７）を単一にしたことを特徴とする請求項２記載のファイルの止め具。
【請求項４】
前記するスリット（４）付のブリッジ状のストッパー（５）が片方の側面が開放部（５ａ）にするか、或いはスリット（４）を閉成体（５ｂ）でのストッパー（５）にしたことを特徴とする請求項２又は３記載のファイル止め具。
【発明の詳細な説明】
【技術分野】
【０００１】本発明はファイルに装備する書類をとじる止め具の改良に関するものである。
【背景技術】
【０００２】此の種の従来の技術として、図８で示すように一般的に知られているファイルに装備する止め具は、ファイル表紙Ｂの中央部に設けた折り返し部Ｃに板状の樹脂製のバンド１０１が対で係合し、飛び出している。【０００３】ファイルの綴じ込むプリントや書類Ａは、全てパンチで丸孔を所定の位置に開口するが、それらの丸孔のピッチと同等でのピッチでバンド１０１の端部が対で双方が均等の長さで飛び出し、それらの端部が、書類Ａの丸孔にさし込まれ随時積み重ねられる。【０００４】ファイル表紙Ｂでの折り返し部Ｃの面上に対で書類Ａの丸孔に貫通してさし込まれた２本のバンド１０１は更に板状の基台３０１の２個の丸孔４０１にさし込まれる構成で即ち書類Ａはファイル表紙Ｂでの折り返し部Ｃの面上にのせられ、それをサンドイッチするように基台３０１によって挟着される。【０００５】そして、挟着された書類Ａが基台３０１でホールドされてファイルされ保管出来るために、基台３０１の２個の丸孔４０１から突き出した双方のバンド１０１は基台３０１に具備するスライダー２０１の作用によって折り曲げ状態でバンド１０１は基台３０１にしめつけられ書類Ａはこれらの板状樹脂製でのバンド１０１と基台３０１とスライダー２０１とのパーツ構成で書類Ａはファイル表紙Ｂに閉じ込められる。【０００６】そして、これらのファイル止め具によって書類Ａの増設や中間取出しの繰返しがあるたびにバンド１０１の双方に設けたスライダー２０１を利用者が指先で操作して基台３０１の着脱によって行われている。
【発明の開示】
【発明が解決しようとする課題】
【０００７】しかしながら、上記する従来技術でのファイルの止め具は、書類Ａをファイルに綴じ込むのに、書類Ａにパンチで開口する孔にバンド１０１の双方の端部をさし込んで綴じるのに、基台３０１に具備する２個のスライダー２０１をその基台３０１の中央から外に向けて移動させて、そのスライダー２０１と基台３０１の間にサンドイッチバンド１０１が挟み込むことで、指先に過剰な力が付加されるなどの課題がある。【０００８】即ち、指先を使ってスライダー２０１の双方を滑らせるのに基台３０１の丸孔４０１から飛び出したバンド１０１が樹脂製で板状のため急激に９０度の角度に折り曲げるのにバンド１０１の曲げ部に大きなふくらみが出来、スライダー２０１のすべりを阻害し、必要以上の力を指先にしいられることで、指先に支障をきたすなどの課題である。【０００９】そしてまた、これらの基台３０１とスライダー２０１に挟まれるバンド１０１の厚さ加減によってスライダー２０１の操作力をゆるめたり、きしませたりすることで書類Ａの挟着にバラツキが大きく書類Ａのゆるみやスライダーのもどりゆるみなどの支障をきたすという課題がある。
【課題を解決するための手段】
【００１０】この発明はかかる課題を解決するために、請求項１での発明は図１．２で述べるように、書類Ａを綴じ込むこれらのファイル表紙Ｂの折り返し部Ｃに係止するひも状で伸縮性でなるウレタンゴム質材などのクッションバンド１の双方の端子１ａが所定の長さでファイル表紙Ｂの折り返し部Ｃに立直して設定される。【００１１】そして書類Ａをファイル表紙Ｂ面にファイルするための板状で合成樹脂製での基台３が、その面にみぞ状孔２ａと丸子連結でなる鍵状孔２が２個並列して開口される。【００１２】また、これらの鍵状孔２のみぞ状孔２ａの貫通孔が傾斜状の底部２ｂを設定して丸孔と連結する鍵状孔２のいずれかの手段で鍵状孔２を基台３に設けるが、これらは図２で述べる通りである。【００１３】次に請求項２での発明は、図３．４で述べるように基台３に開口する２個の鍵状孔２単純な丸形孔６にし、これらの丸形孔６にさし込まれるクッションバンド１にはこぶ状で一体化する抜け止め部７を設ける。【００１４】更に、丸形孔６に近接してスリット４付のブリッジ状のストッパー５を一体化し、これらに係合するクッションバンド１の抜け止め部７が着脱自在にはめ込まれる構成からなる。【００１５】次にまた請求項３での発明は、図５で述べるように板状の基台３に開口する２個の夫々の丸形孔６に近接するスリット４付のブリッジ状のストッパー５を複数個それぞれを一体化したものである。【００１６】更には、これらに係合するクッションバンド１の抜け止め部７を単一にしたこぶ状が、前記するストッパー５のいずれにでも任意に着脱自在での、クッションバンド１のホールドを行う。【００１７】また、請求項４での発明は、スリット４付のブリッジ状のストッパー５が片方の側面が開放部５ａにするか、或いはスリット４を閉成体５ｂでのストッパー５にする構成である。
【発明の効果】
【００１８】本発明は、上述の通り構成作用するので次の優れた効果を奏する。即ち、ファイルに書類を綴じ込むのに、伸縮性でなるクッションバンドの先に書類を差し込み、続いて基台をさし込んだ後双方のクッションバンド１の端子を引張りながら折り曲げてみぞ状孔にはめ込むだけの操作でファイルの出来るファイル止め具を提供出来る。【００１９】また、クッションバンドは引張り加減の弾発力で書類の挟着力の強弱操作の出来るファイルの止め具を提供出来る。【００２０】書類の出し入れは、クッションバンドのホールド部での着脱のみで出来る止め具を提供出来る。【００２１】ファイルの止め具は２部品での最小部品構成での低コストで出来る止め具を提供出来る。
【発明を実施するための最良の形態】
【００２２】以下に図示の実施例に基づいて更に詳細に説明する。即ち図１は本発明での第１実施例に基づく全体斜視図で、図２においては第１実施例に基づいての部分平面図で（ａ）図はその発明での要部の平面図で更に（ｂ）図において同一要部の他の構成を示しての実施例である。【００２３】これらの図示で書類Ａを挟む板状で樹脂製の細長い基台３は、２個の鍵状孔２が並列して開口したもので、この鍵状孔２は、貫通する丸孔に連結してみぞ状孔２ａがそれぞれ対向して設けられるが、図２でのこれらの鍵状孔２は実施例では、貫通する丸孔に連結してなるみぞ状孔２ａは丸孔と同様に貫通孔からなるが、図２での（ｂ）に示す断面図ではみぞ状孔２ａには底部２ｂを設けた穴での実施例を示すもので即ち底付孔とする構成である。【００２４】そして書類Ａに開口するとじ孔に貫通するとじひもは本発明においては、従来にない伸縮性でなるウレタンゴム質材などの丸状のクッションバンド１がファイル表示Ｂの折返し部Ｃに係止する。【００２５】これらのクッションバンド１のファイル表示Ｂの折り返し部Ｃとの係止手段は図１での実施例は個別にそれぞれクッションバンド１を折り返し部Ｃを設けて、それに通すことで、クッションバンド１の端部のツバ状１ｂで係止するが、個別のそれぞれのクッションバンド１を一本のひも状で折り返し部Ｃに係止してもよい。（図示せず）
且つひも状のクッションバンド１は必ずしも丸材に限定するものでない。【００２６】これらのクッションバンド１は伸縮性でなるウレタンゴム材をあげるが、クッション性のよい弾発力のある樹脂材が採用されることが主目的で、ナイロン系或いはシリコン系なとの材質の選定は特に限定するものでなく、実験的にはウレタンゴム材が伸縮繰返し耐久性に優れることが知られる。【００２７】このように本発明でのファイルの止め具は、ファイル表紙Ｂにセットする必要部品を基台３とクッションバンド１の２部品構成での止め具を特徴とするが、利用者は書類Ａを２本のクッションバンド１にさし込んで、書類から飛び出した２本のそれぞれのクッションバンド１に基台３に開口する２個の鍵状孔２の丸孔にさし込むことになる。
クッションバンド１の弾発力で書類Ａは挟着する。【００２８】そして、さし込まれたクッションバンド１の双方の端子１ａが丸孔からそれに連接するみぞ状孔２ａに引張りながら折り曲げ、丸孔に連接してなるみぞ状孔２ａにもぐり込ませた後に、引張りを解除することで、クッションバンド１の素材直径よりややせまいみぞ状孔２ａに弾発力ではさみ込まれたクッションバンド１で書類Ａが綴じ込まれ、再度クッションバンド１の端子１ａを摘んでみぞ状孔２ａからクッションバンド１をはずすことで基台３はワンタッチ操作で着脱可能な構成、作用である。【００２９】次に図３、４はそれぞれ第２実施例での斜視図と平面図であるが、第１実施例での基台３に開口する２個の鍵状孔２を単純な丸形孔６に変更したものである。【００３０】そして、これらにさし込まれるクッションバンド１には、こぶ状でそれらのクッションバンド１に一体化する抜け止め部７を設けている。【００３１】前記するクッションバンド１は、その基台３の２個の丸形孔６に近接して，スリット４付でのブリッジ状のストッパー５を一体化することで、これらのスリット４にさし込まれたクッションバンド１はこぶ状の抜け止め部７がストッパー５に当ってロックされることで書類Ａがとじ込みされる。【００３２】次に図５は第３実施例での斜視図であるが、第２実施例での基台３に開口する丸形孔ｂに近接するスリット４付のブリッジ状のストッパー５を複数個に双方にそれぞれ増設している。【００３３】これらの増設した所定の間隔に設けたストッパー５には、丸形孔６から貫通するクッションバンド１がのぞかれるが、それらのクッションバンド１は単一の抜け止め部７がスリット４からさし込まれたクッションバンド１は抜け止め部７がブリッジ状のストッパー５に突き当てられロックされることで書類Ａはファイリングされる。【００３４】次にまた、図６．７は第４実施例での要部を示す斜視図で、第２、３実施例での基台３に設けたスリット４付のブリッジ状のストッパー５のスリット４を封じて片方の側面に開放部５ａを開口することで抜け止め部７付のクッションバンド１のストッパー５へのさし込みをサイドからはめ込む構成にし、且つ、図７においては、スリット４及び開放部５ａを閉成体５ｂにしたストッパー５に変更した形態を示すものである。【００３５】このようにいずれの実施例においても本発明とする狙いはクッションバンド１を書類Ａのとじ孔にさし込み飛び出した２本の端子１ａを基台３の孔にさし込みクッションバンド１を引張りながら素材径を細めて外部に向けて折り曲げ基台３に設けたみぞ状孔２ａにさし込んで弾発力の復元力でクッションバンド１をホールドし、或いはクッションバンド１に具備するこぶ状の抜け止め部７を基台３のストッパー５にホールドすることで書類Ａのファイルでの綴じ込みを容易に確実に書類Ａのファイルを可能にしている基台とクッションバンド１とで構成するシンプルで安直操作のファイルの止め具を具体化している。
【図面の簡単な説明】
【００３６】
【図１】本発明に係わる第１実施例での全体斜視図である。
【図２】本発明に係わる第１実施例での部分図での平面図である。図中の（ａ）図は鍵状孔要部の平面図で（ｂ）は他の例での鍵状孔要部の断面図である。
【図３】本発明に係わる第２実施例での全体斜視図である。
【図４】本発明に係わる第２実施例での一部省略での平面図である。
【図５】本発明に係わる第３実施例での一部省略での斜視図である。
【図６】本発明に係わる第４実施例での一部要部を示す斜視図である。
【図７】本発明に係わる第４実施例での他の実施例での要部斜視図である。
【図８】従来技術での全体を示す斜視図である。
【符合の説明】
【００３７】Ａ        書類
Ｂ        ファイル表紙
Ｃ        折り返し部
１        クッションバンド
１ａ      端子
２        鍵状孔
２ａ      みぞ孔
２ｂ      底部
３        基台
４        スリット
５        ストッパー
６        丸形孔
７        抜け止め具
【図１】
2007125868.tif 000003
【図２】
2007125868.tif 000004
【図３】
2007125868.tif 000005
【図４】
2007125868.tif 000006
【図５】
2007125868.tif 000007
【図６】
2007125868.tif 000008
【図７】
2007125868.tif 000009
【図８】
2007125868.tif 000010